(57)【要約】【課題】円筒形状の容器本体の内部にある円筒形状の一次フィルタに絡まった線状塵埃を容易に除去可能な塵埃分離装置および電気掃除機を提案する。【解決手段】塵埃分離集塵部７は、円筒形状を呈して閉塞端５１と開放端５２とを有する容器本体３５と、容器本体３５の開放端５２を開閉自在に塞ぐ蓋体３６と、開放端５２を通じて容器本体３５内外に出し入れ可能な円筒形状の第一濾過部４２と、容器本体３５内の閉塞端５１側から開放端５２側に向かって延びるとともに第一濾過部４２を嵌入可能な円筒形状枠４８と、閉塞端５１側から開放端５２側へ延びるスリット７５を有する円筒形状枠４８の骨部材７１と、第一濾過部４２と一体で容器本体３５内外に出し入れ可能かつスリット７５に挿抜可能であり、第一濾過部４２が円筒形状枠４８に納まるとスリット７５の奥に達するとともに骨部材７１よりも容器本体３５の内周面に向かって突出している爪部４９と、を備える。【選択図】  図２
2013236723.tif 000002
【特許請求の範囲】
【請求項１】
円筒形状を呈して閉塞端と開放端とを有し内周面に沿う旋回流で塵埃と空気とを分離させる容器本体と、
前記容器本体の開放端を開閉自在に塞ぐ蓋体と、
前記開放端を通じて前記容器本体内外に出し入れ可能な円筒形状のフィルタと、
前記容器本体内の前記閉塞端側から前記開放端側に向かって延びるとともに前記フィルタを嵌入可能な円筒形状枠と、
前記閉塞端側から前記開放端側へ延びるスリットを有する前記円筒形状枠の骨部材と、
前記フィルタと一体で前記容器本体内外に出し入れ可能かつ前記スリットに挿抜可能であり、前記フィルタが前記円筒形状枠に納まると前記スリットの奥に達するとともに前記骨部材よりも前記容器本体の内周面に向かって突出している爪部と、を備える塵埃分離装置。
【請求項２】
前記円筒形状枠は、前記円筒形状枠に納まる前記フィルタの回転にともなって前記スリットの奥から移動する前記爪部を引っ掛けて前記容器本体と前記フィルタとを連結する溝を有する請求項１に記載の塵埃分離装置。
【請求項３】
前記スリットは前記開放端へ向かって開放される始端を有し、
前記骨部材は前記スリットの始端に自由端を備え、
前記爪部の両脇に位置して前記円筒形状枠の径方向内側へ向かう前記自由端の変位を許容する回避傾斜面または回避溝を備える請求項１または２に記載の塵埃分離装置。
【請求項４】
前記骨部材は前記円筒形状枠の径寸法を縮径可能な弾性体で形成される請求項１または２に記載の塵埃分離装置。
【請求項５】
前記爪部を前記フィルタの径方向へ変位可能に支持する爪支持部と、
前記骨部材に設けられて前記スリットの入口部分を塞ぐスリット始端壁と、
前記スリット始端壁に前記スリットを臨んで前記スリットから離脱する前記爪部を径方向内側へ向かって変位させる傾斜面と、を備える請求項１または２に記載の塵埃分離装置。
【請求項６】
前記開放端側へ向けて前記爪部に設けられる刃物を備える請求項１から５のいずれか１項に記載の塵埃分離装置。
【請求項７】
請求項１から６のいずれか１項に記載の塵埃分離装置と、
前記塵埃分離装置が着脱自在に装着された掃除機本体と、を備える電気掃除機。
【発明の詳細な説明】
【技術分野】
【０００１】
本発明に係る実施形態は、塵埃分離装置および電気掃除機に関する。
【背景技術】
【０００２】
従来から、円筒形状の容器本体と、容器本体の側面に設けられて容器本体と同心状の旋回流を発生させる吸込管と、を備える遠心分離方式の塵埃分離装置および電気掃除機が知られている。遠心分離方式の塵埃分離装置は、吸込管から容器本体内へ空気とともに塵埃を吸い込み、容器本体内に旋回流を発生させて空気と塵埃とを遠心分離し、容器本体内に塵埃を蓄積する一方、容器本体外へ空気を排気する。
【０００３】
この種の塵埃分離装置は、容器本体内に円筒形状の一次フィルタを備える。一次フィルタは、容器本体内に蓄積される塵埃が容器本体外へ流出することを防ぐ。
【０００４】
ところで、この種の塵埃分離装置では、毛髪など長尺な線状塵埃が一次フィルタの外周面に巻き付いてしまう場合がある。
【０００５】
そこで、一次フィルタの内側に配置されるパイプを回転させて、一次フィルタに巻き付いて絡まった線状塵埃を解き、容易に引き離すことを意図した塵埃分離装置が知られている。この塵埃分離装置はパイプと一体で回転する螺旋状回転圧縮部を備える。塵埃分離装置は、この螺旋状回転圧縮部が一次フィルタに対して相対的に回転することによって、絡まった線状塵埃を解くことができる。
【先行技術文献】
【特許文献】
【０００６】
【特許文献１】特開２０１０−９４４３８号公報
【発明の概要】
【発明が解決しようとする課題】
【０００７】
従来の塵埃分離装置および電気掃除機は、線状塵埃が跨がって絡まっている２つの部材、つまり一次フィルタと螺旋状回転圧縮部とを相対的に回転させて絡まった線状塵埃を解いている。
【０００８】
つまり、従来の塵埃分離装置および電気掃除機は、線状塵埃が一次フィルタの側面を臨む領域にだけ絡まっている場合には、絡まった線状塵埃を解けない。
【０００９】
また、従来の塵埃分離装置および電気掃除機は、一次フィルタに線状塵埃が固く結ばれている場合には、解くことが極めて困難になる。
【００１０】
そこで、本発明は、円筒形状の容器本体の内部にある円筒形状の一次フィルタに絡まった線状塵埃を容易に除去可能な塵埃分離装置および電気掃除機を提案する。
【課題を解決するための手段】
【００１１】
前記の課題を解決するため本発明の実施形態に係る塵埃分離装置は、円筒形状を呈して閉塞端と開放端とを有し内周面に沿う旋回流で塵埃と空気とを分離させる容器本体と、前記容器本体の開放端を開閉自在に塞ぐ蓋体と、前記開放端を通じて前記容器本体内外に出し入れ可能な円筒形状のフィルタと、前記容器本体内の前記閉塞端側から前記開放端側に向かって延びるとともに前記フィルタを嵌入可能な円筒形状枠と、前記閉塞端側から前記開放端側へ延びるスリットを有する前記円筒形状枠の骨部材と、前記フィルタと一体で前記容器本体内外に出し入れ可能かつ前記スリットに挿抜可能であり、前記フィルタが前記円筒形状枠に納まると前記スリットの奥に達するとともに前記骨部材よりも前記容器本体の内周面に向かって突出している爪部と、を備える。
【００１２】
また、本発明の実施形態に係る電気掃除機は、前記塵埃分離装置と、前記塵埃分離装置が着脱自在に装着された掃除機本体と、を備える。
【図面の簡単な説明】
【００１３】
【図１】本発明の第１実施形態に係る電気掃除機の外観を示す斜視図。
【図２】本発明の第１実施形態に係る塵埃分離集塵部を模式的に示す縦断面図。
【図３】本発明の第１実施形態に係る塵埃分離集塵部を示す断面斜視図。
【図４】本発明の第１実施形態に係る塵埃分離集塵部の要部を示す斜視図。
【図５】本発明の第１実施形態に係る塵埃分離集塵部の要部を示す断面図。
【図６】本発明の第１実施形態に係る塵埃分離集塵部の要部を示す断面図。
【図７】本発明の第１実施形態に係る塵埃分離集塵部の要部を示す断面図。
【図８】本発明の第１実施形態に係る塵埃分離集塵部の要部を示す断面図。
【図９】本発明の第２実施形態に係る塵埃分離集塵部を模式的に示す縦断面図。
【図１０】本発明の第２実施形態に係る塵埃分離集塵部の要部を示す斜視図。
【図１１】本発明の第２実施形態に係る塵埃分離集塵部の要部を示す断面図。
【図１２】本発明の第２実施形態に係る塵埃分離集塵部の要部を示す断面図。
【図１３】本発明の第２実施形態に係る塵埃分離集塵部の要部を示す断面図。
【図１４】本発明の第２実施形態に係る塵埃分離集塵部の要部を示す断面図。
【図１５】本発明の第３実施形態に係る塵埃分離集塵部の要部を示す断面図。
【図１６】本発明の第４実施形態に係る塵埃分離集塵部を示す縦断面図。
【図１７】本発明の第４実施形態に係る塵埃分離集塵部の第一濾過部を示す斜視図。
【図１８】本発明の第４実施形態に係る塵埃分離集塵部の円筒形状枠を示す斜視図。
【図１９】本発明の第４実施形態に係る塵埃分離集塵部の要部を示す断面図。
【図２０】本発明の第４実施形態に係る塵埃分離集塵部の要部を示す断面図。
【図２１】本発明の第４実施形態に係る塵埃分離集塵部の要部を示す断面図。
【図２２】本発明の第４実施形態に係る塵埃分離集塵部の要部を示す断面図。
【図２３】本発明の第５実施形態に係る塵埃分離集塵部の要部を示す斜視図。
【図２４】本発明の第５実施形態に係る塵埃分離集塵部の要部を示す斜視図。
【図２５】本発明の第６実施形態に係る塵埃分離集塵部を模式的に示す縦断面図。
【図２６】本発明の第６実施形態に係る塵埃分離集塵部の要部を示す斜視図。
【図２７】本発明の第６実施形態に係る塵埃分離集塵部の要部を示す斜視図。
【発明を実施するための形態】
【００１４】
本発明に係る塵埃分離装置および電気掃除機の実施形態について図面を参照して説明する。
【００１５】
［第１の実施形態］
本発明に係る塵埃分離装置および電気掃除機の第１実施形態について、図１から図８を参照して説明する。
【００１６】
図１は、本発明の第１実施形態に係る電気掃除機の外観を示す斜視図である。
【００１７】
図１に示すように、本実施形態に係る電気掃除機１は、いわゆるキャニスタ型の電気掃除機である。電気掃除機１は、被掃除面上を走行可能な掃除機本体２と、掃除機本体２に着脱自在な管部３と、を備える。
【００１８】
掃除機本体２は、本体ケース５と、本体ケース５の両側方にそれぞれ位置する一対の車輪６と、本体ケース５の前半部分に着脱自在な塵埃分離集塵部７と、本体ケース５の後半部分に収納される電動送風機８と、主に電動送風機８を制御する本体制御部９と、電動送風機８に電力を導く電源コード１１と、を備える。
【００１９】
本体ケース５は、管部３を着脱自在な継手としての本体接続口１２を備える。本体接続口１２は、掃除機本体２の流体的な入口であり、管部３と塵埃分離集塵部７とを流体的に接続する。
【００２０】
塵埃分離集塵部７は、電動送風機８が発生させる負圧によって被掃除面から管部３および本体接続口１２を経て流れ込む塵埃を含んだ空気（以下、「含塵空気」と呼ぶ。）から塵埃を分離し、捕集し、蓄積する。他方、塵埃分離集塵部７は、塵埃が除去された清浄な空気を電動送風機８へ送り込む。
【００２１】
電動送風機８は、塵埃分離集塵部７から空気を吸い込んで管部３を負圧にする。
【００２２】
本体制御部９は、マイクロプロセッサ（図示省略）、マイクロプロセッサが実行する各種演算プログラム、パラメータなどを記憶する記憶装置（図示省略）を備える。本体制御部９は、予め設定される複数の運転モードを記憶装置に記憶する。予め設定される複数の運転モードは、管部３が受け付ける使用者の操作に対応する。それぞれの運転モードは相互に異なる入力値（電動送風機８の入力値）を有する。本体制御部９は、管部３が使用者に操作されると、その操作内容に対応する任意の運転モードを予め設定される複数の運転モードから択一的に選択して記憶部から読み出し、読み出した運転モードにしたがって電動送風機８を制御する。
【００２３】
電源コード１１は、配線用差込接続器（図示省略、所謂コンセント）から掃除機本体２へ電力を供給する。電源コード１１は自由端部に差込プラグ１４を備える。
【００２４】
管部３は、電動送風機８の運転にともない掃除機本体２から作用する負圧によって、被掃除面から含塵空気を吸い込んで掃除機本体２へ案内する。管部３は、掃除機本体２の本体接続口１２に着脱自在な継手としての接続管１９と、接続管１９に流体的に接続される集塵ホース２１と、集塵ホース２１に流体的に接続される手元操作管２２と、手元操作管２２から突出する把持部２３と、把持部２３に設けられる操作部２４と、手元操作管２２に着脱自在な延長管２５と、延長管２５に着脱自在な吸込口体２６と、を備える。
【００２５】
接続管１９は、本体接続口１２を通じて塵埃分離集塵部７に流体的に接続される。
【００２６】
集塵ホース２１は、長尺で可撓な略円筒形状のホースである。集塵ホース２１の一方の端部（ここでは、後方の端部）は接続管１９に流体的に接続される。集塵ホース２１は、接続管１９を通じて塵埃分離集塵部７に流体的に接続される。
【００２７】
手元操作管２２は、集塵ホース２１と延長管２５とを連結させる。手元操作管２２の一方の端部（ここでは、後方の端部）は、集塵ホース２１の他方の端部（ここでは、前方の端部）に流体的に接続される。手元操作管２２は、集塵ホース２１および接続管１９を順次に通じて塵埃分離集塵部７に流体的に接続される。
【００２８】
把持部２３は、電気掃除機１を操作するために使用者が手で把持できる部分である。把持部２３は、使用者の手で容易に把持できる適宜の形状を呈して手元操作管２２から突出する。
【００２９】
操作部２４は、それぞれの運転モードに対応付けられるスイッチを備える。具体的には、操作部２４は、電動送風機８の運転停止操作に対応付けられる停止スイッチ２４ａと、電動送風機８の運転開始操作に対応付けられる起動スイッチ２４ｂと、を備える。停止スイッチ２４ａおよび起動スイッチ２４ｂは、本体制御部９に電気的に接続される。電気掃除機１の使用者は、操作部２４を操作して電動送風機８の運転モードを択一的に選択できる。起動スイッチ２４ｂは、電動送風機８の運転中に、運転モードの選択スイッチとしても機能する。この場合、本体制御部９は、起動スイッチ２４ｂから操作信号を受け取る度に運転モードを強→中→弱→強→………の順で切り換える。なお、操作部２４は、起動スイッチ２４ｂに代えて、弱運転スイッチ（図示省略）、中運転スイッチ（図示省略）および強運転スイッチ（図示省略）を個別に備えていても良い。
【００３０】
延長管２５は、伸縮可能な細長略円筒状の管である。延長管２５は、複数の筒状体を重ね合わせたテレスコピック構造を有する。延長管２５の一方の端部（ここでは、後方の端部）と手元操作管２２の他方の端部（ここでは、前方の端部）とは着脱自在な継手構造を備える。延長管２５は、手元操作管２２、集塵ホース２１および接続管１９を通じて塵埃分離集塵部７に流体的に接続される。
【００３１】
吸込口体２６は、木床やカーペットなどの被掃除面上を走行自在あるいは滑走自在な構造を有するとともに、走行状態または滑走状態において被掃除面に対向する底面に吸込口２８を有する。また、吸込口体２６は、吸込口２８に位置して回転自在な回転清掃体２９と、回転清掃体２９を駆動させる電動機３１と、を備える。吸込口体２６の一方の端部（ここでは、後方の端部）と延長管２５の他方の端部（ここでは、前方の端部）とは着脱自在な継手構造を備える。吸込口体２６は、延長管２５、手元操作管２２、集塵ホース２１および接続管１９を通じて塵埃分離集塵部７に流体的に接続される。
【００３２】
電気掃除機１は、起動スイッチ２４ｂに対する操作を受け付けると電動送風機８を始動させる。例えば、電気掃除機１は、電動送風機８が停止している状態で起動スイッチ２４ｂに対する操作を受け付けると、先ず電動送風機８を強運転モードで運転し、再び起動スイッチ２４ｂに対する操作を受け付けると電動送風機８を中運転モードで運転し、三度、起動スイッチ２４ｂに対する操作を受け付けると電動送風機８を弱運転モードで運転し、以下同様に繰り返す。強運転モード、中運転モードおよび弱運転モードは、予め設定される複数の運転モードであり、強運転モード、中運転モード、弱運転モードの順に電動送風機８に対する入力値が小さい。始動した電動送風機８は、塵埃分離集塵部７から空気を排気してその内部を負圧（吸込負圧）にする。
【００３３】
塵埃分離集塵部７の負圧は、塵埃分離集塵部７、本体接続口１２、接続管１９、集塵ホース２１、手元操作管２２および延長管２５を通じて吸込口体２６の吸込口２８に作用する。電気掃除機１は、吸込口２８に作用する負圧で被掃除面上の塵埃を空気とともに吸い込んで被掃除面を掃除する。塵埃分離集塵部７は、電気掃除機１に吸い込まれた含塵空気から塵埃を分離し、蓄積する。他方、塵埃分離集塵部７は、含塵空気から分離した空気を電動送風機８へ送る。電動送風機８は塵埃分離集塵部７から吸い込んだ空気を掃除機本体２外へ排気する。
【００３４】
次に、塵埃分離集塵部７を詳細に説明する。
【００３５】
図２は、本発明の第１実施形態に係る塵埃分離集塵部を模式的に示す縦断面図である。
【００３６】
図３は、本発明の第１実施形態に係る塵埃分離集塵部を示す断面斜視図である。
【００３７】
図４は、本発明の第１実施形態に係る塵埃分離集塵部の要部を示す斜視図である。
【００３８】
図２から図４に示すように、本実施形態に係る塵埃分離集塵部７は、全体で略円柱形状を呈する。塵埃分離集塵部７は、容器本体３５と、蓋体３６と、隔壁３７と、吐出管３８と、プリーツフィルタ部３９と、吸込管４１と、第一濾過部４２（フィルタ）と、カップ部材４３と、柱状部材４５と、第二濾過部４６と、円環４７と、円筒形状枠４８と、爪部４９と、を備える。
【００３９】
なお、塵埃分離集塵部７は、掃除機本体２に装着状態における姿勢として円筒形状の容器本体３５の中心線Ｃを垂直方向に向けても良いし、水平方向に向けても良く、この他の任意の角度に傾けていても良い。
【００４０】
容器本体３５は円筒形状を呈し、閉塞端５１と開放端５２とを有する。容器本体３５は内周面に沿う旋回流Ｆで塵埃と空気とを分離させる。容器本体３５は側壁３５ａの開放端５２近傍にヒンジ機構５３を備える。
【００４１】
蓋体３６は、塵埃分離集塵部７全体の一方の端部に位置するとともに、容器本体３５の開放端５２を開閉自在に塞ぐ。蓋体３６はヒンジ機構５３によって支持される。ヒンジ機構５３は、容器本体３５の開放端５２を塞ぐ閉鎖位置と容器本体３５の開放端５２を開け放す開放位置との間で蓋体３６を揺動させる。
【００４２】
隔壁３７は容器本体３５の閉塞端５１を塞ぐ。隔壁３７は容器本体３５に対して略同心の開口３７ａを有する。
【００４３】
吐出管３８は、塵埃分離集塵部７全体の他方の端部に位置するとともに、隔壁３７を覆い隠す。吐出管３８は、電動送風機８へ空気を送り出す排気風路５５を仕切る。つまり、吐出管３８は、塵埃分離集塵部７の流体的な出口である。
【００４４】
プリーツフィルタ部３９は、隔壁３７の開口３７ａを通じて排気風路５５を通過する空気を濾過する。プリーツフィルタ部３９は、電動送風機８の始動直後や停止直後など分離室５７の旋回流Ｆが十分に発達していない期間に、第一濾過部４２を透過する微細な粒子状の細塵を捕集し、電動送風機８に達することを防ぐ。
【００４５】
吸込管４１は、容器本体３５の側壁３５ａの閉塞端５１側に偏倚されて容器本体３５に接続される。吸込管４１は、管部３から塵埃分離集塵部７へ流入する空気を容器本体３５の内周面の接線方向へ向けて容器本体３５内へ導き、容器本体３５内に旋回流Ｆを発生させる。つまり、吸込管４１は、塵埃分離集塵部７の流体的な入口である。吸込管４１は、側壁３５ａに一体で成形される。
【００４６】
第一濾過部４２は、円筒形状のフィルタであり、塵埃分離集塵部７の一次フィルタである。また、第一濾過部４２は、側面に大きく開口する円筒形状の骨枠５８と、骨枠５８の開口を塞ぐメッシュフィルタ５９と、を備える。第一濾過部４２と容器本体３５とを隔てる隙間は、旋回流Ｆで含塵空気から塵埃と空気とを分離する分離室５７である。
【００４７】
なお、第一濾過部４２について、隔壁３７側に位置する端を「奥側の端」と呼び、その他側の端を「手前側の端」と呼ぶ。
【００４８】
骨枠５８は、メッシュフィルタ５９を円筒形状に保って保持する。骨枠５８は、円筒形状の側面に相当する部分に配置される直線状の骨部材６１と、骨部材６１に連接して円筒形状の底面に相当する部分に配置される環状の骨部材６２と、を備える。骨部材６２は、第一濾過部４２の奥側の端にあり、容器本体３５に対する第一濾過部４２の出し入れに際して、最も先行して容器本体３５に入り込み、最も遅行して容器本体３５から抜け出る。
【００４９】
また、第一濾過部４２は、容器本体３５の開放端５２を通じて容器本体３５内外に出し入れできる。第一濾過部４２は、容器本体３５に対して略同心の状態で容器本体３５内の固定位置に納められる。固定位置にある第一濾過部４２の側面は吸込管４１を臨む。固定位置にある第一濾過部４２の内側の空間は隔壁３７の開口３７ａに流体的に接続される。第一濾過部４２は、電動送風機８の始動直後や停止過渡など分離室５７内の旋回流Ｆが十分に発達していない期間において、また旋回流Ｆが発達した後も当然に、容器本体３５から吐出管３８へ塵埃が流出することを防ぐ。
【００５０】
カップ部材４３は、蓋体３６へ向けて開放される有底円筒形状を呈する。カップ部材４３は、第一濾過部４２の手前側の端に固定される。カップ部材４３は、容器本体３５との間に隙間６５を隔て、蓋体３６との間に隙間６６を隔てる側壁６７と、開口６８ａを有する底壁６８と、を備える。蓋体３６を臨むカップ部材４３の内側は分離室５７から隙間６５、６６を通じて流れ込む塵埃を蓄積する集塵室６９である。カップ部材４３の内周面は蓋体３６へ向けて拡開する。
【００５１】
隙間６５は、容器本体３５の内周面、カップ部材４３の外周面を全周に渡って隔てる。他方、カップ部材４３の開口６８ａは、隙間６５よりも容器本体３５の中心線Ｃ寄りに配置され、集塵室６９と分離室５７とを流体的に接続する。隙間６５、６６および開口６８ａは、分離室５７と集塵室６９とを流体的に接続する。隙間６５、６６は、分離室５７内で発生した旋回流Ｆを塵埃とともに集塵室６９に導く。他方、開口６８ａは、集塵室６９内に導かれた旋回流Ｆを分離室５７へ戻す。
【００５２】
柱状部材４５は、容器本体３５の中心線Ｃに沿ってカップ部材４３の底壁６８から蓋体３６の方向へ延びる中空円柱である。
【００５３】
第二濾過部４６は、カップ部材４３の開口６８ａに設けられる。第二濾過部４６は、集塵室６９に流れ込んだ糸くずや綿埃などの繊維状の塵埃が分離室５７へ戻らない程度に目の粗いもの、例えばメッシュフィルタで良い。
【００５４】
円環４７は、第一濾過部４２の骨枠５８に固定され、第一濾過部４２と第二濾過部４６との間に配置されてカップ部材４３の底壁６８との間に隙間を隔てる。円環４７は内周縁から外周縁へ向かってカップ部材４３の底壁６８に近づく傘形状に形成される。円環４７は、容器本体３５の中心線Ｃ方向視において、少なくとも第二濾過部４６の一部に重なり、第二濾過部４６を覆い隠す程度に大きいことが望ましい。
【００５５】
第一濾過部４２、カップ部材４３、柱状部材４５、第二濾過部４６、円環４７は一体化されていて、一体のまま容器本体３５内から取り出し、再度容器本体３５内へ収納できる。
【００５６】
円筒形状枠４８は、第一濾過部４２の略全体を円滑に嵌入可能であり、第一濾過部４２、カップ部材４３、柱状部材４５、第二濾過部４６、円環４７を容器本体３５の内外へ出し入れする際にガイドの役割を果たす。円筒形状枠４８は、容器本体３５内の閉塞端５１側から開放端５２側に向かって延びる。円筒形状枠４８の内径は第一濾過部４２の外径と略同じまたは若干大きい。
【００５７】
なお、円筒形状枠４８についても、隔壁３７側に位置する端を「奥側の端」と呼び、その他側の端を「手前側の端」と呼ぶ。
【００５８】
また、円筒形状枠４８は、円筒形状の側面に相当する部分に配置される直線状の骨部材７１と、円筒形状の底面に相当する部分に配置されて骨部材７１に連接する環状の骨部材７２、７３と、を備える。
【００５９】
骨部材７１は、隔壁３７の開口３７ａの縁近傍から容器本体３５の中心線Ｃに対して略平行で、開放端５２側へ向かって延びる。骨部材７１は、適宜の本数、例えば４本あり、第一濾過部４２の側面を約９０度毎、略均等に取り囲む。
【００６０】
骨部材７１は、閉塞端５１側から開放端５２側へ延びるスリット７５を有する。スリット７５は、容器本体３５の開放端５２へ向かって開放する始端を有する。なお、スリット７５の始端とは、円筒形状枠４８の手前側の端に位置する部分であり、容器本体３５の開放端５２に最も近い部分である。
【００６１】
環状の骨部材７２は、隔壁３７の開口３７ａの縁近傍に固定される部分であり、スリット７５の奥側に連接する溝７７を有する。環状の骨部材７２は、骨部材７１の奥側の端部を拘束する。
【００６２】
環状の骨部材７３は、骨部材７１の奥側の端部を拘束し、円筒形状枠４８の先端、自由端に相当する。
【００６３】
さらに、円筒形状枠４８は、スリット７５の奥側に連接する溝７７を有する。溝７７は、円筒形状枠４８に納まる第一濾過部４２の回転にともなってスリット７５の奥から移動する爪部４９を引っ掛けて容器本体３５と第一濾過部４２とを連結する。
【００６４】
爪部４９は、第一濾過部４２の環状の骨部材６２に設けられている。また、爪部４９は、第一濾過部４２と一体で容器本体３５内外に出し入れ可能、かつスリット７５に挿抜可能であり、第一濾過部４２が円筒形状枠４８に納まるとスリット７５の奥に達する。さらに、爪部４９は、骨部材７１よりも容器本体３５の内周面に向かって突出している。
【００６５】
図５から図８は、本発明の第１実施形態に係る塵埃分離集塵部の要部を示す断面図である。
【００６６】
図５から図８に示すように、本実施形態に係る塵埃分離集塵部７は、円筒形状枠４８から第一濾過部４２が引き抜かれる動作にともなわせて、第一濾過部４２に巻き付いた線状塵埃Ｄを爪部４９で除去する。
【００６７】
線状塵埃Ｄの除去動作についてより詳しく説明する。
【００６８】
先ず、図５に示すように、塵埃分離集塵部７は、毛髪など長尺な線状塵埃Ｄを第一濾過部４２に巻き付けてしまう場合がある。このとき、塵埃分離集塵部７は、第一濾過部４２とともに円筒形状枠４８の周囲に線状塵埃Ｄを巻き付かせる。つまり、塵埃分離集塵部７は、第一濾過部４２の側面に巻き付く線状塵埃Ｄに対して、第一濾過部４２と線状塵埃Ｄとの間に円筒形状枠４８の骨部材７１を巻き込ませる。爪部４９はスリット７５の奥側（隔壁３７の近傍側）にあり、溝７７に引っ掛かって第一濾過部４２と円筒形状枠４８とを固定している。
【００６９】
そして、第一濾過部４２に巻き付いた線状塵埃を除去する場合、塵埃分離集塵部７は、使用者によって次のように操作される。
【００７０】
先ず、蓋体３６が開放される。このとき集塵室６９内の塵埃は廃棄され、第一濾過部４２に巻き付いた線状塵埃Ｄは容器本体３５内に残留する。
【００７１】
次いで、容器本体３５の開放端５２から直接的に取り扱いやすいカップ部材４３が周方向へ回転させられる。このとき、カップ部材４３に一体な第一濾過部４２も回転し、円筒形状枠４８と第一濾過部４２とが周方向へ相対的に変位する。そして、爪部４９が溝７７から脱してスリット７５へ移る。これによって、円筒形状枠４８と第一濾過部４２との固定が解除される。
【００７２】
次いで、第一濾過部４２が円筒形状枠４８から引き抜かれる。
【００７３】
このとき、図６に示すように、円筒形状枠４８と第一濾過部４２との相対的な変位（中心線Ｃ方向への並進変位）により、爪部４９がスリット７５に倣って移動し、スリット７５の入口部分へ近づきながら線状塵埃Ｄを徐々に寄せ集める。
【００７４】
やがて、図７に示すように、爪部４９がスリット７５の開放端に達する。このとき、線状塵埃Ｄは爪部４９によって円筒形状枠４８の手前側の端に寄せ集められる。
【００７５】
そして、図８に示すように、爪部４９はスリット７５から抜け出る。このとき、線状塵埃Ｄは、爪部４９に掛かったまま容器本体３５から除去される。なお、爪部４９に掛かったままの線状塵埃Ｄは、円筒形状枠４８の外径よりも径寸法の小さい第一濾過部４２に移動するため、除去することは容易い。
【００７６】
このように、本実施形態に係る塵埃分離集塵部７および電気掃除機１は、第一濾過部４２に沿って延びる骨部材７１と、スリット７５に倣って移動する爪部４９を備えることによって、第一濾過部４２の周囲に巻き付いた線状塵埃Ｄを寄せ集め、爪部４９に引っ掛けたまま容器本体３５外に取り出し、線状塵埃Ｄの除去を容易化できる。
【００７７】
また、本実施形態に係る塵埃分離集塵部７および電気掃除機１は、第一濾過部４２に線状塵埃Ｄが固く結ばれている場合であっても、スリット７５に倣って移動する爪部４９によって第一濾過部４２の周囲に巻き付いた線状塵埃Ｄを寄せ集め、爪部４９に引っ掛けたまま容器本体３５外に取り出し、線状塵埃Ｄの除去を容易化できる。
【００７８】
さらに、本実施形態に係る塵埃分離集塵部７および電気掃除機１は、円筒形状枠４８から第一濾過部４２を引き抜くようにして線状塵埃Ｄを除去し、円筒形状枠４８へ第一濾過部４２を嵌め込むようにして使用状態に復帰できるので、取り扱いが簡便であり、特に容器本体３５内の視認性が悪くても取り扱いの容易性を損なわない。
【００７９】
［第２の実施形態］
本発明に係る塵埃分離装置および電気掃除機の第２実施形態について、図９から図１４を参照して説明する。
【００８０】
図９は、本発明の第２実施形態に係る塵埃分離集塵部を模式的に示す縦断面図である。
【００８１】
図１０は、本発明の第２実施形態に係る塵埃分離集塵部の要部を示す斜視図である。
【００８２】
なお、本実施形態に係る塵埃分離集塵部７Ａにおいて第１実施形態の塵埃分離集塵部７と同じ構成には同一の符号を付し、重複する説明は省略する。
【００８３】
図９および図１０に示すように、本実施形態に係る塵埃分離集塵部７Ａは、塵埃分離集塵部７の円筒形状枠４８と異なる円筒形状枠４８Ａを備える。
【００８４】
なお、塵埃分離集塵部７Ａは、掃除機本体２に装着状態における姿勢として円筒形状の容器本体３５の中心線Ｃを垂直方向に向けても良いし、水平方向に向けても良く、この他の任意の角度に傾けていても良い。
【００８５】
円筒形状枠４８Ａは、第一濾過部４２の略全体を円滑に嵌入可能であり、第一濾過部４２、カップ部材４３、柱状部材４５、第二濾過部４６、円環４７を容器本体３５の内外へ出し入れする際にガイドの役割を果たす。円筒形状枠４８Ａは、容器本体３５内の閉塞端５１側から開放端５２側に向かって延びる。円筒形状枠４８Ａの内径は第一濾過部４２の外径と略同じまたは若干大きい。
【００８６】
なお、円筒形状枠４８Ａについても、隔壁３７側に位置する端を「奥側の端」と呼び、その他側の端を「手前側の端」と呼ぶ。
【００８７】
また、円筒形状枠４８Ａは、円筒形状の側面に相当する部分に配置される直線状の骨部材７１Ａと、円筒形状の底面に相当する部分に配置されて骨部材７１Ａに連接する環状の骨部材７２と、を備える。
【００８８】
骨部材７１Ａは、隔壁３７の開口３７ａの縁近傍から容器本体３５の中心線Ｃに対して略平行で、開放端５２側へ向かって延びる。骨部材７１Ａはスリット７５の始端に自由端、つまり非拘束端を備える。骨部材７１Ａは、適宜の本数、例えば４本あり、第一濾過部４２の側面を約９０度毎、略均等に取り囲む。
【００８９】
骨部材７１Ａは、閉塞端５１側から開放端５２側へ延びるスリット７５を有する。
【００９０】
ところで、円筒形状枠４８Ａは、撓りやすい片持ち梁状の骨部材７１Ａを備える点で円筒形状枠４８と大きく異なる。つまり、円筒形状枠４８Ａは、骨部材７１Ａの手前側の端（自由端）を拘束する部材（円筒形状枠４８における環状の骨部材７３に相当する部材）を備えていない。なお、円筒形状枠４８Ａは、骨部材７１Ａの自由端の変位を許容する限りにおいて、骨部材７１Ａ毎に独立して変位可能な複数の円弧や、軟質な円環状部材を骨部材７１Ａの先端部に備えて、円筒形状枠４８における環状の骨部材７３と同様の外観を呈していても良い。
【００９１】
第一濾過部４２の骨枠５８Ａは、円筒形状の側面に相当する部分に配置される直線状の骨部材６１と、骨部材６１に連接して円筒形状の底面に相当する部分に配置される環状の骨部材６２Ａと、を備える。
【００９２】
環状の骨部材６２Ａは、骨部材７１Ａのスリット７５Ａに挿抜可能な爪部４９と、爪部４９の両脇に位置して円筒形状枠４８Ａの径方向内側へ向かう骨部材７１Ａの自由端の変位を許容する回避傾斜面８１を備える。
【００９３】
回避傾斜面８１は、骨部材７１Ａの自由端部分が円筒形状枠４８または第一濾過部４２の径方向内側へ変位することを許可するための隙間、つまり変位しろである。回避傾斜面８１は、少なくとも骨部材７１Ａが通過する領域にあれば良く、全周にあっても、部分的にあっても良い。また、環状の骨部材６２は、骨部材７１Ａの変位しろとして回避傾斜面８１と同様の役割を果たす範囲で、環状の骨部材６２を切り欠いた回避溝８２を有していても良い。
【００９４】
図１１から図１４は、本発明の第２実施形態に係る塵埃分離集塵部の要部を示す断面図である。
【００９５】
図１１から図１４に示すように、本実施形態に係る塵埃分離集塵部７Ａは、円筒形状枠４８Ａから第一濾過部４２が引き抜かれる動作にともなわせて、第一濾過部４２に巻き付いた線状塵埃Ｄを爪部４９で除去する。
【００９６】
線状塵埃Ｄの除去動作についてより詳しく説明する。
【００９７】
先ず、図１１に示すように、塵埃分離集塵部７Ａは、毛髪など長尺な線状塵埃Ｄを第一濾過部４２に巻き付けてしまう場合がある。このとき、塵埃分離集塵部７Ａは、第一濾過部４２とともに円筒形状枠４８Ａの周囲に線状塵埃Ｄを巻き付かせる。つまり、塵埃分離集塵部７Ａは、第一濾過部４２の側面に巻き付く線状塵埃Ｄに対して、第一濾過部４２と線状塵埃Ｄとの間に円筒形状枠４８Ａの骨部材７１Ａを巻き込ませる。爪部４９はスリット７５Ａの奥側（隔壁３７の近傍側）にあり、溝７７に引っ掛かって第一濾過部４２と円筒形状枠４８Ａとを固定している。
【００９８】
そして、第一濾過部４２に巻き付いた線状塵埃を除去する場合、塵埃分離集塵部７Ａは、使用者によって次のように操作される。
【００９９】
先ず、蓋体３６が開放される。このとき集塵室６９内の塵埃は廃棄され、第一濾過部４２に巻き付いた線状塵埃Ｄは容器本体３５内に残留する。
【０１００】
次いで、容器本体３５の開放端５２から直接的に取り扱いやすいカップ部材４３が周方向へ回転させられる。このとき、カップ部材４３に一体な第一濾過部４２も回転し、円筒形状枠４８Ａと第一濾過部４２とが周方向へ相対的に変位する。そして、爪部４９が溝７７から脱してスリット７５Ａへ移る。これによって、円筒形状枠４８Ａと第一濾過部４２との固定が解除される。
【０１０１】
次いで、第一濾過部４２が円筒形状枠４８Ａから引き抜かれる。
【０１０２】
このとき、図１２に示すように、円筒形状枠４８Ａと第一濾過部４２との相対的な変位（中心線Ｃ方向への並進変位）により、爪部４９がスリット７５Ａに倣って移動し、スリット７５Ａの入口部分へ近づきながら線状塵埃Ｄを徐々に寄せ集める。
【０１０３】
やがて、図１３に示すように、爪部４９がスリット７５Ａの開放端に達する。このとき、線状塵埃Ｄが寄せ集まり束なる力によって、骨部材７１Ａの自由端部分が円筒形状枠４８Ａまたは第一濾過部４２の径方向内側へ変位する。つまり、円筒形状枠４８Ａ全体で見ると、その手前側の端が縮径する。この円筒形状枠４８Ａの手前側の端口端の縮径によって、寄せ集まった線状塵埃Ｄは、円筒形状枠４８Ａから抜けやすくなる。
【０１０４】
すると、図１４に示すように、爪部４９はスリット７５Ａから抜け出る。このとき、線状塵埃Ｄは、爪部４９に掛かったまま容器本体３５から除去される。なお、爪部４９に掛かったままの線状塵埃Ｄは、円筒形状枠４８の外径よりも径寸法の小さい第一濾過部４２に移動するため、除去することは容易い。
【０１０５】
このように、本実施形態に係る塵埃分離集塵部７Ａおよび電気掃除機１は、第一濾過部４２に沿って延びる骨部材７１Ａと、スリット７５Ａに倣って移動する爪部４９を備えることによって、第一濾過部４２の周囲に巻き付いた線状塵埃Ｄを寄せ集め、爪部４９に引っ掛けたまま容器本体３５外に取り出し、線状塵埃Ｄの除去を容易化できる。
【０１０６】
また、本実施形態に係る塵埃分離集塵部７Ａおよび電気掃除機１は、第一濾過部４２に線状塵埃Ｄが固く結ばれている場合であっても、スリット７５Ａに倣って移動する爪部４９によって第一濾過部４２の周囲に巻き付いた線状塵埃Ｄを寄せ集め、爪部４９に引っ掛けたまま容器本体３５外に取り出し、線状塵埃Ｄの除去を容易化できる。
【０１０７】
さらに、本実施形態に係る塵埃分離集塵部７Ａおよび電気掃除機１は、円筒形状枠４８Ａから第一濾過部４２を引き抜くようにして線状塵埃Ｄを除去し、円筒形状枠４８Ａへ第一濾過部４２を嵌め込むようにして使用状態に復帰できるので、取り扱いが簡便であり、特に容器本体３５内の視認性が悪くても取り扱いの容易性を損なわない。
【０１０８】
［第３の実施形態］
本発明に係る塵埃分離装置および電気掃除機の第３実施形態について、図１５を参照して説明する。
【０１０９】
図１５は、本発明の第３実施形態に係る塵埃分離集塵部の要部を示す断面図である。
【０１１０】
なお、本実施形態に係る塵埃分離集塵部７Ｂにおいて第１実施形態の塵埃分離集塵部７、第２実施形態の塵埃分離集塵部７Ａと同じ構成には同一の符号を付し、重複する説明は省略する。
【０１１１】
図１５に示すように、本実施形態に係る塵埃分離集塵部７Ｂは、塵埃分離集塵部７の円筒形状枠４８、塵埃分離集塵部７Ａの円筒形状枠４８Ａと異なる円筒形状枠４８Ｂを備える。
【０１１２】
なお、塵埃分離集塵部７Ｂは、掃除機本体２に装着状態における姿勢として円筒形状の容器本体３５の中心線Ｃを垂直方向に向けても良いし、水平方向に向けても良く、この他の任意の角度に傾けていても良い。
【０１１３】
円筒形状枠４８Ｂは、第一濾過部４２の略全体を円滑に嵌入可能であり、第一濾過部４２、カップ部材４３、柱状部材４５、第二濾過部４６、円環４７を容器本体３５の内外へ出し入れする際にガイドの役割を果たす。円筒形状枠４８Ｂは、容器本体３５内の閉塞端５１側から開放端５２側に向かって延びる。円筒形状枠４８Ｂの内径は第一濾過部４２の外径と略同じまたは若干大きい。
【０１１４】
なお、円筒形状枠４８Ｂについても、隔壁３７側に位置する端を「奥側の端」と呼び、その他側の端を「手前側の端」と呼ぶ。
【０１１５】
また、円筒形状枠４８Ｂは、円筒形状の側面に相当する部分に配置される直線状の骨部材７１Ｂと、円筒形状の底面に相当する部分に配置されて骨部材７１Ｂに連接する環状の骨部材７２と、を備える。
【０１１６】
骨部材７１Ｂは、隔壁３７の開口３７ａの縁近傍から容器本体３５の中心線Ｃに対して略平行で、開放端５２側へ向かって延びる。骨部材７１Ｂはスリット７５の始端に自由端、つまり非拘束端を備える。骨部材７１Ｂは、適宜の本数、例えば４本あり、第一濾過部４２の側面を約９０度毎、略均等に取り囲む。
【０１１７】
骨部材７１Ｂは、円筒形状枠４８Ｂの径寸法を縮径可能なエラストマーなどの弾性体で形成される。また、骨部材７１Ｂは、線状塵埃Ｄが巻き付く表面部分にフッ素系材料で形成した薄膜の樹脂層８３を備える。
【０１１８】
骨部材７１Ｂは、閉塞端５１側から開放端５２側へ延びるスリット７５を有する。
【０１１９】
ところで、円筒形状枠４８Ｂは、円筒形状枠４８Ａと略同じ形状を呈するが、骨部材７１Ｂが弾性体であり変形しやすい点で円筒形状枠４８、円筒形状枠４８Ａと大きく異なる。つまり、円筒形状枠４８Ｂは、骨部材７１Ｂを局所的に変形させて、骨部材７１Ｂに巻き付いた線状塵埃Ｄを、骨部材７１Ｂの表面に滑らせながら円筒形状枠４８Ｂの手前側の端に移動させて、引き抜くことができる。
【０１２０】
爪部４９は、第一濾過部４２と一体で容器本体３５内外に出し入れ可能かつスリット７５に挿抜可能であり、第一濾過部４２が円筒形状枠４８Ｂに納まるとスリット７５の奥に達する。また、爪部４９は、非変形状態の骨部材７１Ｂよりも容器本体３５の内周面に向かって突出している。
【０１２１】
本実施形態に係る塵埃分離集塵部７Ｂは、円筒形状枠４８Ｂから第一濾過部４２が引き抜かれる動作にともなわせて、第一濾過部４２に巻き付いた線状塵埃Ｄを爪部４９で除去する。
【０１２２】
線状塵埃Ｄの除去動作についてより詳しく説明する。
【０１２３】
先ず、塵埃分離集塵部７Ｂは、毛髪など長尺な線状塵埃Ｄを第一濾過部４２に巻き付けてしまう場合がある。このとき、塵埃分離集塵部７Ｂは、第一濾過部４２とともに円筒形状枠４８Ｂの周囲に線状塵埃Ｄを巻き付かせる。つまり、塵埃分離集塵部７Ｂは、第一濾過部４２の側面に巻き付く線状塵埃Ｄに対して、第一濾過部４２と線状塵埃Ｄとの間に円筒形状枠４８Ｂの骨部材７１Ｂを巻き込ませる。爪部４９はスリット７５Ｂの奥側（隔壁３７の近傍側）にあり、溝７７に引っ掛かって第一濾過部４２と円筒形状枠４８Ｂとを固定している。
【０１２４】
そして、第一濾過部４２に巻き付いた線状塵埃を除去する場合、塵埃分離集塵部７Ｂは、使用者によって次のように操作される。
【０１２５】
先ず、蓋体３６が開放される。このとき集塵室６９内の塵埃は廃棄され、第一濾過部４２に巻き付いた線状塵埃Ｄは容器本体３５内に残留する。
【０１２６】
次いで、容器本体３５の開放端５２から直接的に取り扱いやすいカップ部材４３が周方向へ回転させられる。このとき、カップ部材４３に一体な第一濾過部４２も回転し、円筒形状枠４８Ｂと第一濾過部４２とが周方向へ相対的に変位する。そして、爪部４９が溝７７から脱してスリット７５Ｂへ移る。これによって、円筒形状枠４８Ｂと第一濾過部４２との固定が解除される。
【０１２７】
次いで、第一濾過部４２が円筒形状枠４８Ｂから引き抜かれる。
【０１２８】
このとき、円筒形状枠４８Ｂと第一濾過部４２との相対的な変位（中心線Ｃ方向への並進変位）により、爪部４９がスリット７５Ｂに倣って移動し、スリット７５Ｂの入口部分へ近づきながら線状塵埃Ｄを徐々に寄せ集める。ところで、線状塵埃Ｄは寄せ集まりながら束なって骨部材７１Ｂを締め付ける場合がある。円筒形状枠４８Ｂは線状塵埃Ｄの締め付けに対して骨部材７１Ｂを局所的に変形させ、円筒形状枠４８Ｂ全体で見れば線状塵埃Ｄの締め付け部分を縮径させて線状塵埃Ｄの移動を許可する。
【０１２９】
やがて、爪部４９がスリット７５Ｂの開放端に達する。このとき、骨部材７１Ｂの表面部分は、寄せ集まった線状塵埃Ｄによって円筒形状枠４８Ｂまたは第一濾過部４２の径方向内側へ変形する。つまり、寄せ集まった線状塵埃Ｄおよび第一濾過部４２は、円筒形状枠４８Ｂから抜けやすくなる。
【０１３０】
そして、爪部４９はスリット７５Ｂから抜け出る。このとき、線状塵埃Ｄは、爪部４９に掛かったまま容器本体３５から除去される。なお、爪部４９に掛かったままの線状塵埃Ｄは、円筒形状枠４８の外径よりも径寸法の小さい第一濾過部４２に移動するため、除去することは容易い。
【０１３１】
このように、本実施形態に係る塵埃分離集塵部７Ｂおよび電気掃除機１は、第一濾過部４２に沿って延びる骨部材７１Ｂと、スリット７５Ｂに倣って移動する爪部４９を備えることによって、第一濾過部４２の周囲に巻き付いた線状塵埃Ｄを寄せ集め、爪部４９に引っ掛けたまま容器本体３５外に取り出し、線状塵埃Ｄの除去を容易化できる。
【０１３２】
また、本実施形態に係る塵埃分離集塵部７Ｂおよび電気掃除機１は、第一濾過部４２に線状塵埃Ｄが固く結ばれている場合であっても、スリット７５Ｂに倣って移動する爪部４９によって第一濾過部４２の周囲に巻き付いた線状塵埃Ｄを寄せ集め、爪部４９に引っ掛けたまま容器本体３５外に取り出し、線状塵埃Ｄの除去を容易化できる。
【０１３３】
さらに、本実施形態に係る塵埃分離集塵部７Ｂおよび電気掃除機１は、円筒形状枠４８Ｂから第一濾過部４２を引き抜くようにして線状塵埃Ｄを除去し、円筒形状枠４８Ｂへ第一濾過部４２を嵌め込むようにして使用状態に復帰できるので、取り扱いが簡便であり、特に容器本体３５内の視認性が悪くても取り扱いの容易性を損なわない。
【０１３４】
［第４の実施形態］
本発明に係る塵埃分離装置および電気掃除機の第４実施形態について、図１６から図２２を参照して説明する。
【０１３５】
図１６は、本発明の第４実施形態に係る塵埃分離集塵部を示す縦断面図である。
【０１３６】
なお、本実施形態に係る塵埃分離集塵部７Ｃにおいて第１実施形態の塵埃分離集塵部７と同じ構成には同一の符号を付し、重複する説明は省略する。
【０１３７】
図１６に示すように、本実施形態に係る塵埃分離集塵部７Ｃは、塵埃分離集塵部７の円筒形状枠４８と異なる円筒形状枠４８Ａを備える。
【０１３８】
なお、塵埃分離集塵部７Ｃは、掃除機本体２に装着状態における姿勢として円筒形状の容器本体３５の中心線Ｃを垂直方向に向けても良いし、水平方向に向けても良く、この他の任意の角度に傾けていても良い。
【０１３９】
円筒形状枠４８Ｃは、第一濾過部４２の略全体を円滑に嵌入可能であり、第一濾過部４２、カップ部材４３、柱状部材４５、第二濾過部４６、円環４７を容器本体３５の内外へ出し入れする際にガイドの役割を果たす。円筒形状枠４８Ｃは、容器本体３５内の閉塞端５１側から開放端５２側に向かって延びる。円筒形状枠４８Ｃの内径は第一濾過部４２の外径と略同じまたは若干大きい。
【０１４０】
なお、円筒形状枠４８Ｃについても、隔壁３７側に位置する端を「奥側の端」と呼び、その他側の端を「手前側の端」と呼ぶ。
【０１４１】
また、円筒形状枠４８Ｃは、円筒形状の側面に相当する部分に配置される直線状の骨部材７１Ｃと、円筒形状の底面に相当する部分に配置されて骨部材７１に連接する環状の骨部材７２、７３Ｃと、を備える。
【０１４２】
骨部材７１Ｃは、隔壁３７の開口３７ａの縁近傍から容器本体３５の中心線Ｃに対して略平行で、開放端５２側へ向かって延びる。骨部材７１は、適宜の本数、例えば４本あり、第一濾過部４２の側面を約９０度毎、略均等に取り囲む。
【０１４３】
骨部材７１Ｃは、閉塞端５１側から開放端５２側へ延びるスリット７５Ｃを有する。
【０１４４】
さらに、円筒形状枠４８Ｃは、スリット７５Ｃの奥側に連接する溝７７を有する。溝７７は、円筒形状枠４８Ｃに納まる第一濾過部４２の回転にともなってスリット７５Ｃの奥から移動する爪部４９を引っ掛けて容器本体３５と第一濾過部４２とを連結する。
【０１４５】
爪部４９は、第一濾過部４２と一体で容器本体３５内外に出し入れ可能かつスリット７５Ｃに挿抜可能であり、第一濾過部４２が円筒形状枠４８Ｃに納まるとスリット７５Ｃの奥に達する。また、爪部４９は、骨部材７１Ｃよりも容器本体３５の内周面に向かって突出している。
【０１４６】
図１７は、本発明の第４実施形態に係る塵埃分離集塵部の第一濾過部を示す斜視図である。
【０１４７】
図１６に加えて図１７に示すように、本実施形態に係る塵埃分離集塵部７の第一濾過部４２は、側面に大きく開口する円筒形状の骨枠５８Ｃと、骨枠５８Ｃの開口を塞ぐメッシュフィルタ５９と、を備える。
【０１４８】
骨枠５８Ｃは、メッシュフィルタ５９を円筒形状に保って保持する。骨枠５８Ｃは、円筒形状の側面に相当する部分に配置される直線状の骨部材６１と、骨部材６１に連接して円筒形状の底面に相当する部分に配置される環状の骨部材６２Ｃと、を備える。骨部材６２Ｃは、第一濾過部４２の奥側の端にあり、容器本体３５に対する第一濾過部４２の出し入れに際して、最も先行して容器本体３５に入り込み、最も遅行して容器本体３５から抜け出る。
【０１４９】
環状の骨部材６２Ｃは、骨部材７１Ｃのスリット７５Ｃに挿抜可能な爪部４９と、爪部４９を第一濾過部４２の径方向へ変位可能に支持する爪支持部８５と、を備える。
【０１５０】
爪支持部８５は、爪部４９の両脇に隣接して挟み込む切り欠き８６によって環状の骨部材６２Ｃに形成される片持ち梁状の構造を有し、その先端部分に爪部４９を備える。
【０１５１】
爪支持部８５の撓みによって、爪部４９は第一濾過部４２の径方向へ変位できる。
【０１５２】
また、第一濾過部４２は、爪部４９がスリット始端壁８７に達すると、傾斜面８８を滑動して爪支持部８５を撓らせる傾斜面受面９０を備える。傾斜面受面９０は、爪部４９の根元に一体で成形される。
【０１５３】
図１８は、本発明の第４実施形態に係る塵埃分離集塵部の円筒形状枠を示す斜視図である。
【０１５４】
図１６に加えて図１８に示すように、本実施形態に係る塵埃分離集塵部７の円筒形状枠４８Ｃは、環状の骨部材７３Ｃまたは骨部材７１Ｃに設けられてスリット７５Ｃの入口部分を塞ぐスリット始端壁８７と、スリット始端壁８７にスリット７５Ｃを臨みスリット７５から離脱する爪部４９を径方向内側へ向かって変位させる傾斜面８８と、を備える。
【０１５５】
骨部材７３Ｃは、円筒形状枠４８Ｃの手前側の端に相当する。また、骨部材７３Ｃは、爪部４９をスリット７５Ｃに差し込むときに、爪部４９を径方向内側へ向かって変位させる第二傾斜面８９を備える。
【０１５６】
ところで、円筒形状枠４８Ｃは、骨部材７１Ｃの両端が骨部材７２、７３Ｃで拘束されている点、スリット始端壁８７および傾斜面８８を有する点で円筒形状枠４８Ｃと大きく異なる。
【０１５７】
図１９から図２２は、本発明の第４実施形態に係る塵埃分離集塵部の要部を示す断面図である。
【０１５８】
図１９から図２２に示すように、本実施形態に係る塵埃分離集塵部７Ｃは、円筒形状枠４８Ｃから第一濾過部４２が引き抜かれる動作にともなわせて、第一濾過部４２に巻き付いた線状塵埃Ｄを爪部４９で除去する。
【０１５９】
線状塵埃Ｄの除去動作についてより詳しく説明する。
【０１６０】
先ず、図１９に示すように、塵埃分離集塵部７Ｃは、毛髪など長尺な線状塵埃Ｄを第一濾過部４２に巻き付けてしまう場合がある。このとき、塵埃分離集塵部７Ｃは、第一濾過部４２とともに円筒形状枠４８Ｃの周囲に線状塵埃Ｄを巻き付かせる。つまり、塵埃分離集塵部７Ｃは、第一濾過部４２の側面に巻き付く線状塵埃Ｄに対して、第一濾過部４２と線状塵埃Ｄとの間に円筒形状枠４８Ｃの骨部材７１Ｃを巻き込ませる。爪部４９はスリット７５Ｃの奥側（隔壁３７の近傍側）にあり、溝７７に引っ掛かって第一濾過部４２と円筒形状枠４８Ｃとを固定している。
【０１６１】
そして、第一濾過部４２に巻き付いた線状塵埃を除去する場合、塵埃分離集塵部７Ｃは、使用者によって次のように操作される。
【０１６２】
先ず、蓋体３６が開放される。このとき集塵室６９内の塵埃は廃棄され、第一濾過部４２に巻き付いた線状塵埃Ｄは容器本体３５内に残留する。
【０１６３】
次いで、容器本体３５の開放端５２から直接的に取り扱いやすいカップ部材４３が周方向へ回転させられる。このとき、カップ部材４３に一体な第一濾過部４２も回転し、円筒形状枠４８Ｃと第一濾過部４２とが周方向へ相対的に変位する。そして、爪部４９が溝７７から脱してスリット７５Ｃへ移る。これによって、円筒形状枠４８Ｃと第一濾過部４２との固定が解除される。
【０１６４】
次いで、第一濾過部４２が円筒形状枠４８Ｃから引き抜かれる。
【０１６５】
このとき、図２０に示すように、円筒形状枠４８Ｃと第一濾過部４２との相対的な変位（中心線Ｃ方向への並進変位）により、爪部４９がスリット７５Ｃに倣って移動し、スリット７５Ｃの入口部分へ近づきながら線状塵埃Ｄを徐々に寄せ集める。
【０１６６】
やがて、図２１に示すように、爪部４９がスリット始端壁８７に達し、傾斜面受面９０が傾斜面８８に触れる。すると、傾斜面８８が爪部４９を第一濾過部４２の径方向内側へ向かって変位させる。
【０１６７】
そして、図２２に示すように、爪部４９はスリット始端壁８７を乗り越え、スリット７５から抜け出る。このとき、線状塵埃Ｄは、円筒形状枠４８Ｃの手前側の端、つまり骨部材７３Ｃに掛かって残る。
【０１６８】
円筒形状枠４８Ｃに掛かる線状塵埃Ｄは容易に骨部材７３Ｃから抜き取ることができる。
【０１６９】
このように、本実施形態に係る塵埃分離集塵部７Ｃおよび電気掃除機１は、第一濾過部４２に沿って延びる骨部材７１Ｃと、スリット７５Ｃに倣って移動する爪部４９を備えることによって、第一濾過部４２の周囲に巻き付いた線状塵埃Ｄを円筒形状枠４８Ｃの先端に寄せ集め、線状塵埃Ｄの除去を容易化できる。
【０１７０】
また、本実施形態に係る塵埃分離集塵部７Ｃおよび電気掃除機１は、第一濾過部４２に線状塵埃Ｄが固く結ばれている場合であっても、スリット７５Ｃに倣って移動する爪部４９によって第一濾過部４２の周囲に巻き付いた線状塵埃Ｄを円筒形状枠４８Ｃの先端に寄せ集め、線状塵埃Ｄの除去を容易化できる。
【０１７１】
さらに、本実施形態に係る塵埃分離集塵部７Ｃおよび電気掃除機１は、円筒形状枠４８Ｃから第一濾過部４２を引き抜くようにして線状塵埃Ｄを除去し、円筒形状枠４８Ｃへ第一濾過部４２を嵌め込むようにして使用状態に復帰できるので、取り扱いが簡便であり、特に容器本体３５内の視認性が悪くても取り扱いの容易性を損なわない。
【０１７２】
［第５の実施形態］
本発明に係る塵埃分離装置および電気掃除機の第５実施形態について、図２３から図２４を参照して説明する。
【０１７３】
図２３は、本発明の第５実施形態に係る塵埃分離集塵部の要部を示す斜視図である。
【０１７４】
図２４は、本発明の第５実施形態に係る塵埃分離集塵部の要部を示す斜視図である。
【０１７５】
なお、本実施形態に係る塵埃分離集塵部７Ｄにおいて第１実施形態の塵埃分離集塵部７と同じ構成には同一の符号を付し、重複する説明は省略する。
【０１７６】
図２３および図２４に示すように、本実施形態に係る塵埃分離集塵部７Ｄは、爪部４９に設けられる刃物９１を備える。
【０１７７】
なお、塵埃分離集塵部７Ｄは、掃除機本体２に装着状態における姿勢として円筒形状の容器本体３５の中心線Ｄを垂直方向に向けても良いし、水平方向に向けても良く、この他の任意の角度に傾けていても良い。
【０１７８】
刃物９１は、容器本体３５の開放端５２側へ向けて爪部４９に設けられている。
【０１７９】
本実施形態に係る塵埃分離集塵部７Ｄは、円筒形状枠４８から第一濾過部４２が引き抜かれる動作にともなわせて、第一濾過部４２に巻き付いた線状塵埃Ｄを爪部４９で除去する。
【０１８０】
線状塵埃Ｄの除去動作についてより詳しく説明する。
【０１８１】
先ず、塵埃分離集塵部７Ｄは、毛髪など長尺な線状塵埃Ｄを第一濾過部４２に巻き付けてしまう場合がある。このとき、塵埃分離集塵部７Ｄは、第一濾過部４２とともに円筒形状枠４８の周囲に線状塵埃Ｄを巻き付かせる。つまり、塵埃分離集塵部７は、第一濾過部４２の側面に巻き付く線状塵埃Ｄに対して、第一濾過部４２と線状塵埃Ｄとの間に円筒形状枠４８の骨部材７１を巻き込ませる。爪部４９はスリット７５の奥側（隔壁３７の近傍側）にあり、溝７７に引っ掛かって第一濾過部４２と円筒形状枠４８とを固定している。
【０１８２】
そして、第一濾過部４２に巻き付いた線状塵埃を除去する場合、塵埃分離集塵部７Ｄは、使用者によって次のように操作される。
【０１８３】
先ず、蓋体３６が開放される。このとき集塵室６９内の塵埃は廃棄され、第一濾過部４２に巻き付いた線状塵埃Ｄは容器本体３５内に残留する。
【０１８４】
次いで、容器本体３５の開放端５２から直接的に取り扱いやすいカップ部材４３が周方向へ回転させられる。このとき、カップ部材４３に一体な第一濾過部４２も回転し、円筒形状枠４８と第一濾過部４２とが周方向へ相対的に変位する。そして、爪部４９が溝７７から脱してスリット７５へ移る。これによって、円筒形状枠４８と第一濾過部４２との固定が解除される。
【０１８５】
次いで、第一濾過部４２が円筒形状枠４８から引き抜かれる。
【０１８６】
このとき、円筒形状枠４８と第一濾過部４２との相対的な変位（中心線Ｃ方向への並進変位）により、爪部４９がスリット７５に倣って移動し、スリット７５の入口部分へ近づく。この過程で刃物９１は、線状塵埃Ｄのスリット７５を横切る部分を切断する。
【０１８７】
やがて、爪部４９がスリット７５の開放端に達する。線状塵埃Ｄは寸断されて第一濾過部４２に巻き付いていることができなくなり、容易に廃棄される。
【０１８８】
このように、本実施形態に係る塵埃分離集塵部７Ｄおよび電気掃除機１は、第一濾過部４２に沿って延びる骨部材７１と、スリット７５に倣って移動する刃物９１を備えることによって、第一濾過部４２の周囲に巻き付いた線状塵埃Ｄを刃物９１で切断して、線状塵埃Ｄの除去を容易化できる。
【０１８９】
また、本実施形態に係る塵埃分離集塵部７Ｄおよび電気掃除機１は、第一濾過部４２に線状塵埃Ｄが固く結ばれている場合であっても、スリット７５に倣って移動する刃物９１によって第一濾過部４２の周囲に巻き付いた線状塵埃Ｄを切断して、線状塵埃Ｄの除去を容易化できる。
【０１９０】
さらに、本実施形態に係る塵埃分離集塵部７Ｄおよび電気掃除機１は、円筒形状枠４８から第一濾過部４２を引き抜くようにして線状塵埃Ｄを除去し、円筒形状枠４８へ第一濾過部４２を嵌め込むようにして使用状態に復帰できるので、取り扱いが簡便であり、特に容器本体３５内の視認性が悪くても取り扱いの容易性を損なわない。
【０１９１】
［第６の実施形態］
本発明に係る塵埃分離装置および電気掃除機の第６実施形態について、図２５から図２７を参照して説明する。
【０１９２】
図２５は、本発明の第６実施形態に係る塵埃分離集塵部を模式的に示す縦断面図である。
【０１９３】
図２６は、本発明の第６実施形態に係る塵埃分離集塵部の要部を示す斜視図である。
【０１９４】
なお、本実施形態に係る塵埃分離集塵部７Ｅにおいて第１実施形態の塵埃分離集塵部７と同じ構成には同一の符号を付し、重複する説明は省略する。
【０１９５】
図２５および図２６に示すように、本実施形態に係る塵埃分離集塵部７Ｅは、塵埃分離集塵部７の円筒形状枠４８の骨部材７１を要しない一方、環状の骨部材７２と、爪部４９に相当する突起９２と、を備える。環状の骨部材７２の溝７７と突起９２は、第一濾過部４２Ｅを隔壁３７へ着脱自在に固定する連結機構９３として機能する。
【０１９６】
なお、塵埃分離集塵部７Ｅは、掃除機本体２に装着状態における姿勢として円筒形状の容器本体３５の中心線Ｃを垂直方向に向けても良いし、水平方向に向けても良く、この他の任意の角度に傾けていても良い。
【０１９７】
第一濾過部４２Ｅは、側面に大きく開口する円筒形状の骨枠５８Ｅと、骨枠５８Ｅの開口を塞ぐメッシュフィルタ５９と、を備える。
【０１９８】
骨枠５８Ｅは、メッシュフィルタ５９を円筒形状に保って保持する。骨枠５８Ｅは、円筒形状の側面に相当する部分に配置される直線状の骨部材６１Ｅと、骨部材６１Ｅに連接して円筒形状の底面に相当する部分に配置される環状の骨部材６２と、を備える。
【０１９９】
骨部材６１Ｅは、第一濾過部４２Ｅの径方向内側へ窪んだ凹溝９５を有する。凹溝９５は第一濾過部４２Ｅの奥側の端から手前側の端に達する。
【０２００】
図２７は、本発明の第６実施形態に係る塵埃分離集塵部の要部を示す斜視図である。
【０２０１】
図２７に示すように、本実施形態に係る塵埃分離集塵部７Ｅは、容器本体３５から取り出した後、第一濾過部４２Ｅに巻き付いた線状塵埃Ｄをハサミなどの切断用具Ｔで切断し、除去する。
【０２０２】
線状塵埃Ｄの除去方法についてより詳しく説明する。
【０２０３】
塵埃分離集塵部７Ｅは、毛髪など長尺な線状塵埃Ｄを第一濾過部４２に巻き付けてしまう場合がある。
【０２０４】
そして、第一濾過部４２Ｅに巻き付いた線状塵埃を除去する場合、塵埃分離集塵部７Ｄは、使用者によって次のように操作される。
【０２０５】
先ず、蓋体３６が開放される。このとき集塵室６９内の塵埃は廃棄され、第一濾過部４２Ｅに巻き付いた線状塵埃Ｄは容器本体３５内に残留する。
【０２０６】
次いで、容器本体３５の開放端５２からカップ部材４３とともに第一濾過部４２Ｅが取り出される。線状塵埃Ｄは第一濾過部４２Ｅに巻き付いたまま容器本体３５外へ取り出される。
【０２０７】
そして、使用者は凹溝９５に沿わせて切断用具Ｔを使用し、第一濾過部４２Ｅに巻き付いている線状塵埃Ｄを切断する。線状塵埃Ｄは寸断されて第一濾過部４２Ｅに巻き付いていることができなくなり、容易に廃棄される。
【０２０８】
このように、本実施形態に係る塵埃分離集塵部７Ｅおよび電気掃除機１は、第一濾過部４２Ｅの骨枠５８Ｅに凹溝９５を備えることによって、第一濾過部４２Ｅの周囲に巻き付いた線状塵埃Ｄを切断用具Ｔで切断して、線状塵埃Ｄの除去を容易化できる。
【０２０９】
また、本実施形態に係る塵埃分離集塵部７Ｅおよび電気掃除機１は、第一濾過部４２Ｅに線状塵埃Ｄが固く結ばれている場合であっても、第一濾過部４２Ｅの骨枠５８Ｅに凹溝９５を備えることによって、第一濾過部４２Ｅの周囲に巻き付いた線状塵埃Ｄを切断用具Ｔで切断して、線状塵埃Ｄの除去を容易化できる。
【０２１０】
したがって、本実施形態に係る塵埃分離集塵部７、７Ａ、７Ｂ、７Ｃ、７Ｄ、７Ｅおよびこれらを備える電気掃除機１によれば、円筒形状の容器本体３５の内部にある円筒形状の一次フィルタ（第一濾過部４２、４２Ｅ）に絡まった線状塵埃Ｄを容易に除去できる。
【０２１１】
なお、本実施形態に係る電気掃除機１は、キャニスタ型のものに限らず、アップライト型、スティック型、あるいはハンディ型などのものであってもよい。
【０２１２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０２１３】
１  電気掃除機
２  掃除機本体
３  管部
５  本体ケース
６  車輪
７、７Ａ、７Ｂ、７Ｃ、７Ｄ、７Ｅ  塵埃分離集塵部
８  電動送風機
９  本体制御部
１１  電源コード
１２  本体接続口
１４  差込プラグ
１９  接続管
２１  集塵ホース
２２  手元操作管
２３  把持部
２４  操作部
２４ａ  停止スイッチ
２４ｂ  起動スイッチ
２５  延長管
２６  吸込口体
２８  吸込口
２９  回転清掃体
３１  電動機
３５  容器本体
３５ａ  側壁
３６  蓋体
３７  隔壁
３７ａ  開口
３８  吐出管
３９  プリーツフィルタ部
４１  吸込管
４２、４２Ｅ  第一濾過部
４３  カップ部材
４５  柱状部材
４６  第二濾過部
４７  円環
４８、４８Ａ、４８Ｂ、４８Ｃ  円筒形状枠
４９  爪部
５１  閉塞端
５２  開放端
５３  ヒンジ機構
５５  排気風路
５７  分離室
５８、５８Ａ、５８Ｃ、５８Ｅ  骨枠
５９  メッシュフィルタ
６１、６１Ｅ、６２、６２Ａ、６２Ｃ  骨部材
６５、６６  隙間
６７  側壁
６８  底壁
６８ａ  開口
６９  集塵室
７１、７１Ａ、７１Ｂ、７１Ｃ、７２、７３、７３Ｃ  骨部材
７５、７５Ａ、７５Ｂ、７５Ｃ  スリット
７７  溝
８１  回避傾斜面
８２  回避溝
８３  樹脂層
８５  爪支持部
８６  切り欠き
８７  スリット始端壁
８８  傾斜面
８９  第二傾斜面
９０  傾斜面受面
９１  刃物
９２  突起
９３  連結機構
９５  凹溝
【図１】
2013236723.tif 000003
【図２】
2013236723.tif 000004
【図３】
2013236723.tif 000005
【図４】
2013236723.tif 000006
【図５】
2013236723.tif 000007
【図６】
2013236723.tif 000008
【図７】
2013236723.tif 000009
【図８】
2013236723.tif 000010
【図９】
2013236723.tif 000011
【図１０】
2013236723.tif 000012
【図１１】
2013236723.tif 000013
【図１２】
2013236723.tif 000014
【図１３】
2013236723.tif 000015
【図１４】
2013236723.tif 000016
【図１５】
2013236723.tif 000017
【図１６】
2013236723.tif 000018
【図１７】
2013236723.tif 000019
【図１８】
2013236723.tif 000020
【図１９】
2013236723.tif 000021
【図２０】
2013236723.tif 000022
【図２１】
2013236723.tif 000023
【図２２】
2013236723.tif 000024
【図２３】
2013236723.tif 000025
【図２４】
2013236723.tif 000026
【図２５】
2013236723.tif 000027
【図２６】
2013236723.tif 000028
【図２７】
2013236723.tif 000029